(57)【要約】  本発明では、デジタルおよびプログラム可能な情報表示装置またはラベル（１０）は、コントローラに接続された電子メモリユニットに格納された情報を提示するためにディスプレイ（１８）を操作することができるコントローラに動作可能に接続されたディスプレイ（１８）と共に形成される。製品に関する情報は、情報が装置／ラベル（１０）に提示されるための要件に従ってアップロードされ、メモリユニットに格納される。さらに、装置はコントローラに接続された無線通信トランシーバを含むことができるので、装置内に格納されている製品情報に関する問題に対処するためにディスプレイ上に提示される情報の変更を遠隔的に行うことができる。その情報には、製品が製造された時から、製品の出荷／取り扱いの間、そして製品の意図された耐用年数を通して、データの記録を開始するであろう環境センシングも含まれるであろう。【選択図】図１
2020507792.tif 000002
【特許請求の範囲】
【請求項１】
製品（２６）に適用するための製品情報表示装置（１０）であって、
コントローラ（３０）と、
前記コントローラ（３０）に動作可能に接続され、製品情報を格納するように構成された非一時的電子メモリユニット（４０）と、
前記装置（１０）を前記製品（２６）の表面（２４）に固定するように構成された固定機構（２０）と、
前記コントローラ（３０）に動作可能に接続され、製品情報を提示するように構成されたディスプレイ（１８）と、
を含む製品情報表示装置（１０）。
【請求項２】
前記コントローラ（３０）は、トランシーバ（４４）を含む、請求項１に記載の製品情報表示装置（１０）。
【請求項３】
前記トランシーバ（４４）は、全地球位置情報を受信するように構成される、請求項２に記載の製品情報表示装置（１０）。
【請求項４】
前記コントローラ（３０）は、少なくとも１つのセンサを含む、請求項１に記載の製品情報表示装置（１０）。
【請求項５】
前記少なくとも１つのセンサは、温度センサ（５４）、湿度センサ（５６）、振動センサ（５８）、空気質センサ（６０）からなる群から選択される、請求項４に記載の製品情報表示装置（１０）。
【請求項６】
前記空気質センサ（６０）は二酸化硫黄センサ（６０）である、請求項５に記載の製品情報表示装置（１０）。
【請求項７】
前記コントローラ（３０）は電源（４８）を含む、請求項１に記載の製品情報表示装置（１０）。
【請求項８】
前記固定機構（２０）は、前記装置（１０）を前記製品（２６）にしっかりと固定するように構成される、請求項１に記載の製品情報表示装置（１０）。
【請求項９】
前記固定機構（２０）は第１の接着層（２２）である、請求項８に記載の製品情報表示装置（１０）。
【請求項１０】
前記ディスプレイ（１８）が配置される前面（１４）と前記第１の接着層（２２）が配置される後面（１６）とを含むパネル（１２）をさらに含む、請求項９に記載の製品情報表示装置（１０）。
【請求項１１】
前記コントローラ（３０）と前記ディスプレイ（１８）との間の有線接続をさらに含む、請求項１０に記載の製品情報表示装置（１０）。
【請求項１２】
前記コントローラ（３０）上に第２の接着層（３３）をさらに含む、請求項１１に記載の製品情報表示装置（１０）。
【請求項１３】
前記パネル（１２）は可撓性材料で形成されている、請求項１０に記載の製品情報表示装置（１０）。
【請求項１４】
前記ディスプレイ（１８）上に印刷された印（５２）をさらに含む、請求項１に記載の製品情報表示装置（１０）。
【請求項１５】
製品（２６）に関する情報を前記製品（２６）上に表示するための方法であって、
製品情報表示装置（１０）を前記製品（２６）に固定するステップであって、前記製品情報表示装置（１０）は、コントローラ（３０）と、前記コントローラ（３０）に動作可能に接続され、製品情報を格納するように構成された非一時的電子メモリユニット（４０）と、前記コントローラ（３０）に動作可能に接続され、製品情報を提示するように構成されたディスプレイ（１８）と、を含む、ステップと、
製品情報を取得するステップと、
前記ディスプレイ（１８）に前記製品情報を提示するステップと、
を含む方法。
【請求項１６】
前記コントローラ（３０）はトランシーバ（４４）をさらに含み、前記製品情報を取得する前記ステップは、前記製品情報を無線で受信するステップを含む、請求項１５に記載の方法。
【請求項１７】
前記製品情報を遠隔地に無線で送信するステップをさらに含む、請求項１６に記載の方法。
【請求項１８】
前記コントローラ（３０）が少なくとも１つのセンサをさらに含み、前記製品情報を取得する前記ステップは、前記製品（２６）の環境条件に関するセンサ情報を受信するステップを含む、請求項１５に記載の方法。
【請求項１９】
前記製品情報表示装置（１０）は、前記ディスプレイ（１８）が配置される前面（１４）と第１の接着層（２２）が配置される後面（１６）とを有するパネル（１２）を含み、前記製品情報表示装置（１０）を前記製品（２６）に固定する前記ステップは、前記第１の接着層（２２）を前記製品（２６）と係合させるステップを含む、請求項１５に記載の方法。
【請求項２０】
前記製品情報を前記メモリユニット（４０）内に格納するステップをさらに含む、請求項１５に記載の方法。
【発明の詳細な説明】
【技術分野】
【０００１】
本明細書に開示する主題は、概してラベルに関し、より具体的には、機械およびその構成部品を識別するために機械に適用されるラベルに関する。
【背景技術】
【０００２】
各国の個々の規制機関によって推進される国内および国際貿易の両方のための製品ラベリングに対する需要がますます高まっている。これらの国特有の規制は、特に医療機器、ならびに航空および原子力産業のような厳しく規制された製品の製造者にとって、製品ラベルデザインおよびサプライチェーン管理においてかなりの複雑さを生み出している。
【０００３】
グローバルに製品を出荷する会社の場合、製品の出荷先の国の要件または規制によって決定される製品に関する識別情報を提供するために、製品の外部または本体に適用される国固有のラベルを使用してこれらの要件が満たされる。これらのラベルは製品に関する情報を必要とするだけでなく、製品の出荷先の国の現地の言語で印刷しなければならないことがよくある。さらに、ラベルには、最終製品自体についてだけでなく、画像撮像装置のＸ線管などの、製品の組み立てに利用される様々な構成部品についての情報を含まなければならないことが多い。例えば、ＦＤＡの固有装置識別ルールの下では、特定の医療装置のすべてのラベルに、装置の構成要素のシリアル番号をそれらの構成要素を含む装置全体のシリアル番号に関連付けるために標準化された情報が含まれ、それはＵＤＩを持つ装置に関する情報が格納されているグローバルＵＤＩデータベースを介してアクセスすることができる。
【０００４】
これらのラベリング要件に対処するために、完成品の原産地である製造工場は、製品の出荷先の各国に対応する数百種類のラベルを保管および維持する必要がある。そのため、完成品が製造されると、その製品の仕向国は、その国固有のソフトウェアがその製品にロードされ、適切な国固有のラベルがその製品に添付されるという最新の構成で識別される。
【先行技術文献】
【特許文献】
【０００５】
【特許文献１】欧州特許出願公開第２８３３３４３号明細書
【発明の概要】
【発明が解決しようとする課題】
【０００６】
このラベリングプロセスに関する１つの重大な欠点は、ラベル自体が従来の接着剤付き紙ラベルであるということである。これらのラベルの裏の接着剤は有効寿命があり、それは、ラベル上に必要な情報を購入者に提示するために接着剤が製品の表面に確実に接着することができる時間の長さを制限する。また、ラベルの印刷面を形成する紙の性質は、ラベルの完全性および／またはラベルに印刷された情報の読みやすさを低下させる可能性がある特定の条件に耐えるラベルの能力も制限する。例えば、ラベルが濡れたり、他の面と摩擦接触したり、こすったりすると、ラベルに印刷された情報が読みづらくなったり、製品に残っているラベルの残りの部分から分離したりする可能性があり、明示的な目的にとってはそのラベルが完全に無効になる。さらに、ラベルを介して提供される情報量に関しては、機械の大きさがラベルの大きさ、ひいてはラベル上に提示することができる情報量に関して制限要因を提示する。
【０００７】
さらに、ラベルの構造に関する問題とは別に、ラベルに適切な国固有の情報を印刷することは、非常に間違いやすい作業となる可能性がある。誤った情報がラベルに印刷されている場合、そのラベルを修正すると、そのラベルを修正したり代替品を提供したりするために大量の手直しが発生する可能性がある。さらに、誤ったラベルが後で出荷される製品に適用されると、現場のエンジニアはラベルを修正するために現場でその製品を追跡しなければならないことがよくある。これは、情報が最初は正しい場合でも発生する可能性があるが、製品の交換部品が取り付けられているため、ラベルの情報を更新する必要がある。
【０００８】
したがって、これらの問題に対処するために、ラベルの情報の間違いまたは更新が必要な場合には、必要なラベリング情報を製品に適用し、製品上で修正することをより容易に可能にするラベリングシステム、装置および使用方法を開発することが非常に望ましい。
【課題を解決するための手段】
【０００９】
上述の欠点および必要性は、以下の説明において本明細書に記載される実施形態によって対処される。本発明の様々な実施形態では、デジタルおよびプログラム可能な情報表示装置またはラベルは、コントローラに接続された電子メモリユニットに格納された情報を提示するためにディスプレイを操作することができるコントローラに動作可能に接続されたディスプレイと共に形成される。製品に関する情報は、情報が装置／ラベルに提示されるための要件に従ってアップロードされ、メモリユニットに格納される。コントローラはこの情報にアクセスし、ディスプレイを操作してラベル上に適切な方法でその情報を提示する。さらに、装置はコントローラに接続された無線通信トランシーバを含むことができるので、装置内に格納されている製品情報に関する問題に対処するためにディスプレイ上に提示される情報の変更を遠隔的に行うことができる。
【００１０】
この装置は、規制要件のみを満たす従来技術の製品ラベル上に提示される情報の提示を単純化およびデジタル化し、さらに、その装置またはラベルが配置される製品の内部構成要素に関するすべての情報を追跡することができる。この情報には、シリアル番号、規制マークのステータス、改訂管理、固有の識別要件、現場での交換が可能なユニットの追跡、および製品の位置情報が含まれる。その情報には、製品が製造された時から、製品の出荷／取り扱いの間、そして製品の意図された耐用年数を通して、データの記録を開始するであろう環境センシングも含まれるであろう。装置はさらに、製品の使用法、製品の性能、予測保守およびサービス監視に関するエンジニアリングデータのために、製品への遠隔通信のための費用効果の高いハブとして機能することができる。
【００１１】
本発明の例示的な一実施形態は、製品に適用するための製品情報表示装置であって、コントローラと、コントローラに動作可能に接続され、製品情報を格納するように構成された非一時的電子メモリユニットと、装置を製品の表面に固定するように構成された固定機構と、コントローラに動作可能に接続され、製品情報を提示するように構成されたディスプレイと、を含む製品情報表示装置である。
【００１２】
本発明の別の例示的な実施形態は、製品に関する情報を製品上に表示するための方法であって、製品情報表示装置を製品に固定するステップであって、製品情報表示装置は、コントローラと、コントローラに動作可能に接続され、製品情報を格納するように構成された非一時的電子メモリユニットと、コントローラに動作可能に接続され、製品情報を提示するように構成されたディスプレイと、を含む、ステップと、製品情報を取得するステップと、ディスプレイに製品情報を提示するステップと、を含む方法である。
【００１３】
上記の簡単な説明は、詳細な説明でさらに説明される概念の選択を簡略化した形で紹介するために提供されていることを理解されたい。それは請求する発明の主題の鍵となるまたは本質的な特徴を特定するものではなく、発明の主題の範囲は詳細な説明に続く請求項によって独自に定義される。さらにまた、請求する発明の主題は、上述した不利な点、またはこの開示の任意の部分で述べる任意の不利な点を解決する実施に限定されない。
【００１４】
図面は、本開示を実施するための現在考えられる最良の形態を示す。図面は以下の通りである。
【図面の簡単な説明】
【００１５】
【図１】本発明の例示的な一実施形態による製品情報表示装置またはラベルの等角図である。
【図２】本発明の例示的な一実施形態による製品情報表示装置の断面図である。
【図３】本発明の例示的な一実施形態による製品情報表示装置の概略図である。
【発明を実施するための形態】
【００１６】
以下の詳細な説明では、本明細書の一部を形成する添付の図面を参照し、例示のために実施可能な特定の実施形態を示す。これらの実施形態は、当業者が実施形態を実施できるように十分詳細に記載されており、他の実施形態も利用することができること、ならびに論理的、機械的、電気的およびその他の変更を、実施形態の範囲から逸脱せずに行うことができることを理解されたい。したがって、以下の詳細な説明は、限定的な意味で解釈すべきではない。
【００１７】
本発明の実施形態は、医療機器などの製品の外部に適用される製品情報表示装置に関する。製品情報表示装置またはラベルは、コントローラに動作可能に接続された電子記憶装置に格納されている製品についての情報を提示するためにディスプレイを操作するコントローラに接続されたデジタルディスプレイを含む。
【００１８】
図１に示す例示的かつ非限定的な実施形態では、製品情報表示装置またはラベルは全体として符号１０で示されている。ラベル１０は、例えば適切なプラスチック材料などの適切な可撓性材料で形成され、前面１４と後面１６とを含むパネルまたは基板１２を含む。パネル１２は、前面１４に配置されたディスプレイ１８と、後面１６に配置された固定機構２０とを含む。固定機構２０は、パネル１２を製品２６の表面２４に解放可能にまたは固定的に固定することができる機械的または磁気的固定機構などの任意の適切な機構で形成することができる。しかし、例示的かつ非限定的な一実施形態では、機構２２は、後面１６の１つまたは複数の部分または全体に適用された接着層２２の形態をとる。接着層２２は、パネル１２を形成する材料を製品２６の外面２４に確実に接着することができる任意の従来の接着剤で形成することができ、それは表面２４がプラスチック、金属または他の材料で形成されるかどうかに関わらない。
【００１９】
固定機構２２の反対側で、パネル１２はディスプレイ１８を含む。図１の図示した例示的かつ非限定的な実施形態では、ディスプレイ１８は適切な方法でパネル１２に取り付けられるか、あるいは他の例示的かつ非限定的な実施形態ではパネル１２の一部として形成することができる。ディスプレイ１８は、その上に様々な情報を提示することができ、情報を提示するためにディスプレイ１８の全領域を使用することができ、または任意選択で様々なセグメント２７〜２９に分離することができ、各セグメント２７〜２９は別々の情報をその上に表示する。ディスプレイ１８は、ディスプレイ１８上に提示される情報を表すデジタル信号がディスプレイ１８によって受信されることを可能にし、ディスプレイ１８上の信号によって表される情報を提示するために必要な領域においてディスプレイ１８が対応してアクティブになることを可能にするように構成される。したがって、ディスプレイ１８は、任意の多数の適切な構造を有することができるが、図１の例示的かつ非限定的な実施形態では、ディスプレイ１８は、下にあるパネル１２の撓みに対して形状が容易に順応することができる適切な構造を有する有機発光（ＯＬＥＤ）として形成される。
【００２０】
ディスプレイ１８はパネル１２上で通信指令センターまたはコントローラ３０に接続されている。コントローラ３０は、ディスプレイ１８に提示される情報に対応するデジタル信号をディスプレイ１８に送信することによってディスプレイ１８を選択的に動作させる。図２の例示的かつ非限定的な実施形態では、コントローラ３０は、接着層３３を用いて製品２６の内面３１などの製品２６上に配置されている。コントローラ３０は、一端でコントローラ３０に固定され、他端でディスプレイ１８に接続されるように製品２６の開口部３５を通って延在するケーブル３４を含む。ケーブル３４は、図２に示すように、パネル１２上に配置されてディスプレイ１８に接続されたコネクタ３６と係合することができる。あるいは、コントローラ３０は、ケーブル３４を介してディスプレイ１８に接続するために製品２６の外面２４に配置されてもよく、またはラベル１０の一部としてパネル１２内に組み込まれてもよい。
【００２１】
ここで図３に示す例示的かつ非限定的な実施形態を参照すると、コントローラ３０は、非一時的電子メモリユニットなどの電子メモリユニット４０、センサスイート４２、トランシーバ４４、およびローカルエリアネットワーク接続４６、ならびに電源またはバッテリ４８に動作可能に接続される中央処理装置（ＣＰＵ）３８を含む。ＣＰＵ３８は、適切な信号をディスプレイ１８に送信することによってディスプレイ１８と通信し、ディスプレイ１８にディスプレイ１８上の信号によって表される情報を提示させる。
【００２２】
メモリユニット４０に格納されている製品に関する情報は、ユニット４０に予めプログラムすることができ、あるいはケーブル３４またはトランシーバ４４を使用してメモリユニット４０にアップロードすることができる。メモリユニット４０内に格納／保持されている情報は、製品２６の外部に貼られている従来のラベル上に存在することが必要とされる固有の識別情報に関するものであり、それには、限定はしないが、製品２６のシリアル番号、製品２６のＵＤＩ番号などの他の固有の識別番号、ＱＣコード、ならびに／あるいは製品２６に適用可能な任意の試験および／または安全認証が含まれる。さらに、メモリユニット４０に格納された情報は、製造者名および製品名、ならびに関連情報が表示される言語を含むことができる。ディスプレイ１８上にＣＰＵ３８からの信号によって提供される情報を提示するために、この情報はＣＰＵ３８によってアクセスされ、ディスプレイ１８がディスプレイ１８上のピクセル５０を選択的に作動させるためにケーブル３４を介してディスプレイ１８に送信される。
【００２３】
ＣＰＵ３８からの信号によって提供される情報に加えて、ディスプレイ１８および／またはパネル１２を形成する材料の性質に応じて、製品２６に関する標準的な情報を表す印刷された印５２を、ディスプレイ１８および／またはパネル１２の前面１４に配置することができる。この印５２は、メモリユニット４０に格納されている情報を不明瞭にしないように、ディスプレイ１８がメモリユニット４０からの情報を提示する領域から離れた場所の前面１４またはディスプレイ１８に配置されている。
【００２４】
図３の例示的かつ非限定的な実施形態では、ＣＰＵ３８はさらにセンサスイート４２に接続されている。センサスイート４２は、製品２６に関する様々な環境パラメータを検出することができる１つまたは複数のセンサ５４〜６０を含む。スイート４２は、他のセンサの中でも、温度センサ５４、湿度センサ５６、振動センサ５８、ならびに空気質および／または二酸化硫黄センサ６０を、ならびに任意の組み合わせでも含むことができる。これらのセンサ５４〜６０は、出荷および／または最終使用中に製品２６を取り巻く様々な環境パラメータに関するデータを収集してＣＰＯＵ３８に提供し、これらのデータは後の検索および解析のためにメモリユニット４０に格納することができる。さらに、センサスイート４２からのデータは、ＣＰＵ３８が要求された時にディスプレイ１８上に選択的に提示することができる。
【００２５】
コントローラ３０は、ＷｉＦｉ、ブルートゥース（登録商標）、ＲＦＩＤ、ＭバンドまたはＧＰＳプロトコルなどの１つまたは複数の異なるプロトコルで無線信号を送受信することができるトランシーバ４４をさらに含むことができる。トランシーバ４４は、コントローラ３０が、製品２６の他の構成要素、スマートフォン、他の製品、ローカルＷｉＦｉ接続および衛星位置（ＧＰＳ）サービスを含むがこれらに限定されない様々な無線装置と通信することを可能にする。また、コントローラ３０は、コントローラ３０が製品２６、ならびにＬＡＮ内の他の装置１０および／または製品２６と無線通信してそれらの間で情報を広めることを可能にするＬＡＮ接続４６を含む。
【００２６】
電源またはバッテリ４８は、電力を供給するためにコントローラ３０の様々な構成要素に動作可能に接続されており、交換可能なバッテリ、または任意の適切な方法で、例えばケーブル３４を介した有線、または別の電源への無線、例えば誘導接続などにより、充電することができる充電可能な電源４８から形成することができる。さらに、コントローラ３０をディスプレイ１８に接続することによって、電源４８とディスプレイ１８との間に接続された電力コンバータ６２などを介して、電源４８を利用してディスプレイ１８の動作のための電力を供給することができる。
【００２７】
動作中に、製品２６に関する情報は、有線または無線データ接続を使用してコントローラ３０のメモリユニット４０にアップロードされる。デジタルおよびプログラム可能なラベルまたは装置１０を用いて、製品情報および販売予定国、すなわちディスプレイ１８上に提示される言語および情報の種類を、製造現場で、または必要に応じて遠隔でロードすることができる。これにより、ＲＦＩＤ、ブルートゥース（登録商標）、Ｍバンドなどの接続性を有するトランシーバ４４を使用して装置１０およびコントローラ３０に送信することができる電子ファイルまたは情報の結果として、すべての構成要素のシリアル番号、改訂番号、および規制ラベルを製品ラベル全体に結び付けるという手作業による事務処理が大幅に削減される。
【００２８】
コントローラ３０がディスプレイ１８を支持するパネル１２に組み込まれて、コントローラ３０がすでにディスプレイ１８接続されて一体型装置１０を形成している場合を除き、メモリユニット４０にロードされると、コントローラ３０を製品２６上に配置して、ディスプレイ１８に有線または無線で接続することができる。ＣＰＵ３８はその後に、メモリユニット４０内の情報にアクセスし、ディスプレイ１８上に提示するために情報を送信することができる。ディスプレイ１８は、他の適切な動作方式の中でも、ディスプレイ１８または装置１０上の適切な接点／スイッチ（図示せず）が起動された時にディスプレイ１８を操作すること、または、ディスプレイ１８を設定された時間間隔で動作させることによって、またはディスプレイ１８を常に動作可能に維持することなどによって、ＣＰＵ３８により任意の適切な方法で操作することができる。
【００２９】
装置１０が製品２６の上に配置および／または起動された後に、装置１０はセンサスイート４２も起動させる。個々のセンサ５４〜６０は、製品２６を取り囲む選択された環境条件に関する情報を継続的に取得し、そのセンサ情報をメモリユニット４０内に格納することができ、および／またはトランシーバ４４を利用して遠隔地に情報を送信することができる。センサスイート４２によって提供されるセンサ情報は、他のパラメータの中でもとりわけ、空気中の温度、騒音／振動、湿度、および二酸化硫黄レベルを監視することによって、現場における機器／製品２６の健全性に関する貴重なデータを、製品２６の輸送中／出荷中（配達前の製品２６の状態を遠隔で監視するため）および目的地での製品２６の使用中（製品２６が配達後に利用される時にその状態を遠隔監視するため）の両方で提供することができる。例えば、ノイズ／振動センサ５８によって検出されるように、製品２６の出荷および取り扱い中に何か異常が発生した時に、コントローラ３０／センサスイート４２はトランシーバ４４を介して警報を発することができる。警告の結果として、ノイズ／振動センサ５８からの客観的データを任意の保険補償のために物流業者に提供することができるようにして、製品２６を流用することができ、そしてより良好に取り扱われた製品２６を顧客に配達することができる。
【００３０】
さらに、出荷中に、装置１０のＧＰＳ機能により、ＧＰＳを介して、またはスマートフォンに接続することができるローカル信号（ＬＡＮ接続４６）から製品２６を追跡することが可能になる。装置１０は、顧客に正確な配達日を知らせるために、製品２６が輸送中にどこにあるのかを決定するための重要な追跡情報を提供することができる。この情報は、製品２６の初期出荷中だけでなく、初期顧客が製品２６を別の当事者に販売する状況でも製品追跡に利用することができる。この機能は、例えばリコール通知の対象となる製品２６を見つけるのに特に有用である。
【００３１】
製品２６の配達後に、装置１０は、製品２６の仕向地における規制要件を満たすためにディスプレイ１８上に必要な情報を提供する。さらに、製品２６が現場にあって、構成要素が交換される場合に、製品２６の構成部品に対する変更を文書化するためのシリアル番号を手作業で追跡する場合とは対照的に、装置１０は、有線または無線接続を介して更新情報を電子的に供給されて、ディスプレイ１８上に提示するために更新情報をメモリユニット４０に格納することができる。あるいは、装置１０は、トランシーバ４４および／またはＬＡＮ接続４６を使用して新しい構成要素上の類似の装置１０と通信することなどによって、新しい構成要素が製品２６の上または中にいつ取り付けられるかを自動的に検出するように構成することができ、メモリユニット４０内に格納された製品履歴記録または情報を更新することができる。この更新機能は、製品２６が配置されている特定の場所についてラベル規制が変わる時にも装置１０に適用することができる。ラベルを物理的に除去および／または交換する必要がある代わりに、装置１０には変更された規制に従って更新された情報を供給することができ、それを次にディスプレイ１８上に提示するために供給することができる。
【００３２】
さらに、装置１０は、製品性能および環境条件に関するリアルタイムのデータ／フィードバックを取得し提供する能力を含む。例えば、製品２６の周囲の二酸化硫黄レベルが設計限界を超えた場合には、装置２６に損傷が起こり得ることを顧客に警告することができる。装置１０からのこの遠隔追跡／検出能力により、製品２６に関するより良いフィードバックを将来の製品設計で使用するために供給することができ、製品２６に対する将来の修理を装置１０からのデータに応答して積極的に行うことができ、また、製品の使用状況データ、稼働時間の監視、およびサービスアラートに関して顧客に支援を提供することができる。
【００３３】
別の例示的かつ非限定的な実施形態では、ディスプレイ１８は、従来技術のラベルに提供されている製品情報に加えて、センサスイート４２および／または装置１０の他の構成要素によって得られるデータを提示するように構成することができる。これにより、現場の個人は、ディスプレイ１８上に提示するために適切な方法でメモリユニット４０に格納された情報にアクセスすることができる。
【００３４】
本明細書は、本発明を開示するために実施例を用いており、最良の形態を含んでいる。また、いかなる当業者も本発明を実施することができるように実施例を用いており、任意の装置またはシステムを製作し使用し、任意の組み込まれた方法を実行することを含んでいる。本発明の特許可能な範囲は特許請求の範囲によって定義され、かつ当業者が想到する他の実施例を含むことができる。このような他の実施例が特許請求の範囲の字義通りの文言と異ならない構造要素を有する場合、または、それらが特許請求の範囲の字義通りの文言と実質的な差異がない等価な構造要素を含む場合には、このような他の実施例は特許請求の範囲内であることを意図している。
【符号の説明】
【００３５】
１０  装置、ラベル
１２  パネル、基板
１４  前面
１６  後面
１８  ディスプレイ
２０  固定機構
２２  接着層、固定機構
２４  表面、外面
２６  製品、装置
２７  セグメント
２８  セグメント
２９  セグメント
３０  コントローラ
３１  内面
３３  接着層
３４  ケーブル
３５  開口部
３６  コネクタ
３８  中央処理装置（ＣＰＵ）
４０  電子メモリユニット
４２  センサスイート
４４  トランシーバ
４６  ローカルエリアネットワーク接続
４８  電源、バッテリ
５０  ピクセル
５２  印
５４  温度センサ
５６  湿度センサ
５８  ノイズ／振動センサ
６０  空気質および／または二酸化硫黄センサ
６２  電力コンバータ
【図１】
2020507792.tif 000003
【図２】
2020507792.tif 000004
【図３】
2020507792.tif 000005
【国際調査報告】
2020507792.tif 000006
2020507792.tif 000007
2020507792.tif 000008